【手続補正書】
【提出日】平成20年5月16日(2008.5.16)
【手続補正１】
【補正対象書類名】特許請求の範囲
【補正対象項目名】請求項２１
【補正方法】変更
【補正の内容】
【請求項２１】
前記高圧電源はさらに、前記出力回路のそれぞれに接続される複数の変圧器と整流回路とコントローラとを含み、前記コントローラの各々は、前記コントローラのうち少なくとも１つのその他のコントローラに接続され、前記電気出力信号を同期化する、請求項１６に記載の静電流体加速器。
【手続補正２】
【補正対象書類名】特許請求の範囲
【補正対象項目名】請求項２６
【補正方法】変更
【補正の内容】
【請求項２６】
前記第２および第３の配列は、それぞれの１００ボルトｒｍｓ以内の同相化された動作電圧で保たれる、請求項２５に記載の静電流体加速器。
【手続補正３】
【補正対象書類名】特許請求の範囲
【補正対象項目名】請求項２７
【補正方法】変更
【補正の内容】
【請求項２７】
前記第２および第３の配列は、それぞれの１０ボルトｒｍｓ以内の同相化された動作電圧で保たれる、請求項２５に記載の静電流体加速器。
【手続補正４】
【補正対象書類名】特許請求の範囲
【補正対象項目名】請求項２８
【補正方法】変更
【補正の内容】
【請求項２８】
前記第２および第３の配列は同相化された動作電圧で保たれるので、これら配列の間を流れる電流は１ｍＡ未満である、請求項２５に記載の静電流体加速器。
【手続補正５】
【補正対象書類名】特許請求の範囲
【補正対象項目名】請求項２９
【補正方法】変更
【補正の内容】
【請求項２９】
前記第２および第３の配列は同相化された動作電圧で保たれるので、これら配列の間を流れる電流は１００μＡ未満である、請求項２５に記載の静電流体加速器。
【手続補正６】
【補正対象書類名】特許請求の範囲
【補正対象項目名】請求項５５
【補正方法】変更
【補正の内容】
【請求項５５】
コロナ放電電極の第１の配列と、前記第１の静電加速段の前記加速電極を含む加速電極の第１の配列とを有する前記第１の静電加速段を与えるステップをさらに含み、前記第１の静電加速段を与える前記ステップは、コロナ放電電極のうち前記第１の配列の各々のコロナ放電電極を、加速電極のうち前記第１の配列の前記加速電極から間隔をおいて配置するステップを含み、さらに、
加速電極の第２の配列と、前記第２の静電加速段の前記コロナ放電電極を含むコロナ放電電極の第２の配列とを有する第２の静電加速段を与えるステップを含み、前記第２の静電加速段を与える前記ステップは、コロナ放電電極のうち前記第２の配列の各々のコロナ放電電極を、加速電極のうち前記第２の配列の前記加速電極から間隔をおいて配置するステップを含む、請求項５１に記載の方法。
【手続補正７】
【補正対象書類名】明細書
【補正対象項目名】００１８
【補正方法】変更
【補正の内容】
【００１８】
隣接するＥＦＡ段の電極同士の間の寄生容量性電流の減少は、図２Ａおよび図２Ｂに示す波形を参照して確認できる。図２Ａからわかるように、電極１０７に存在する電圧Ｖ１（図１Ｂ）および電極１０９に存在する電圧Ｖ２は、同期化かつ同相化されているが、直流の振幅ついては必ずしも同等ではない。完全な同期化であるために、電極１０７および１０９に存在する電圧間の差Ｖ１−Ｖ２は、ほぼ一定となり、信号間の直流オフセット値のみを示す（すなわち、交流成分は存在しない）。電極１０７と電極１０９との間の容量結合を通して流れる電流Ｉｃは、この容量全体の電圧の変化の時間速度（ｄＶ／ｄｔ）に比例する。
【手続補正８】
【補正対象書類名】明細書
【補正対象項目名】００２１
【補正方法】変更
【補正の内容】
【００２１】
上記の条件が満たされない場合、必然的な結果として、隣接する段は、他の場合に比べて互いにさらに広い間隔を置いて配置することが必要となる。このように段間の空間が大きくなると、いくつかの条件が空気の運動に悪影響を与える結果となる。たとえば、隣接する段同士の間の空間が大きくなると、ダクトをより長くすることになり、結果的に、空気流に対する抵抗が大きくなる。ＥＦＡの全体的なサイズおよび重量も増大する。同期化かつ同相化されたＨＶＰＳであれば、ＥＦＡ段同士の間の空間を小さくできることで、効率の低下およびスパークの発生の増大を伴わずに、これらのマイナス面は回避される。
【手続補正９】
【補正対象書類名】明細書
【補正対象項目名】００２３
【補正方法】変更
【補正の内容】
【００２３】
図４Ａおよび図４Ｂは、２段ＥＦＡ装置の２つの異なる構成の断面図である。２段のみを図示しているが、詳細な原理および構造は同じである。図４Ａを参照して、第１のＥＦＡ装置４１１は、２つの直列または縦続の段４１４および４１５からなる。第１の段４１４は、第１の垂直な列に整列する複数の並列コロナ放電電極４０１と、コロナ放電電極４０１の列に平行な第２の列に整列する集塵電極４０２とを含む。すべての電極は、図面のページの中へおよびこのページから外へと長手方向に延在する断面図で示している。コロナ放電電極４０１は、図示のように導電性ワイヤの形をとってもよいが、その他の構成を用いてもよい。集塵電極４０２は、水平方向に長い導電性の棒として図示している。重ねて、これは例示を目的とするものであり、この発明の種々の実施例に合わせてその他の形状および構成が実施可能である。第２の段４１５も同様に、整列したコロナ放電電極４０３（これらも、ページに垂直に延在する細い導電線として図示）および集塵電極４０４（これらも棒として図示）の列を含む。すべての電極は、空気ダクト４０５内に取付けられている。ＥＦＡ４１１の第１の段４１４および第２の段４１５は、それぞれ個別のＨＶＰＳ（図示せず）によって給電される。ＨＶＰＳは、同期化かつ同相化されているので、第２の段４１５のコロナ放電電極４０３は、第１の段４１４の集塵電極４０２に対して可能な限り最も近接する正規化された距離を隔てて配置でき、ＥＰＡ性能と不利に相互作用したり、ＥＦＡ性能を低下させたりすることはない。
【手続補正１０】
【補正対象書類名】明細書
【補正対象項目名】００３８
【補正方法】変更
【補正の内容】
【００３８】
【図１Ａ】隣接するコロナ放電の段に給電する単一の高圧電源を備える静電流体加速器（ＥＦＡ）組立品の概略図である。
【図１Ｂ】隣接するコロナ放電の段のそれぞれに給電する１対の同期化された電源を備えるＥＦＡ組立品の概略図である。
【図２Ａ】隣接するＥＦＡ段の電極同士の間の電圧および電流のタイミング図であり、段間に交流差動電圧成分は存在しない。
【図２Ｂ】隣接するＥＦＡ段の電極間の電圧および電流のタイミング図であり、段間に小さい電圧リップルが存在する。
【図３】同期化された出力電圧を有する１対の高圧電源サブアセンブリを含む電源ユニットの概略図である。
【図４Ａ】第１の電極配置形状を実現する２段ＥＦＡ組立品の概略的な上面図である。
【図４Ｂ】第２の電極配置形状を実現する２段ＥＦＡ組立品の概略的な上面図である。
【図５】隣接するコロナ放電の段のそれぞれに給電する１対の同期化された電源を備えるＥＦＡ組立品の概略図であり、最も近接する電極同士は、同じまたは近い電位を有する。
【図６】ある一定の電位差の信号が供給された２つの電極の間の最大瞬間電位差をボルト単位で示すグラフであり、信号間の位相差は、０から２０度の間で変化する。
【図６Ａ】ある一定の電位差の信号が供給された２つの電極の間の最大瞬間電位差をボルト単位で示すグラフであり、信号間の位相差は、０から１度の間で変化する。